(57)【要約】搬送ローラおよびディスクガイドを装置本体に対し上下動可能に設け、挿入されたディスクを下方に移動させてターンテーブル上に載置することに連動して、前記搬送ローラおよび前記ディスクガイドを互いに異なる移動量で下方に移動させる移動手段を備えたものである。
2009040970.tif 000002
【特許請求の範囲】
【請求項１】
ディスクを搬送ローラによってディスクガイドに押圧させて該搬送ローラの回転で装置本体に対し挿入／排出を行うディスク装置において、前記搬送ローラおよび前記ディスクガイドを前記装置本体に対し上下動可能に設け、挿入されたディスクを下方に移動させてターンテーブル上に載置することに連動して、前記搬送ローラおよび前記ディスクガイドを互いに異なる移動量で下方に移動させる移動手段を備えたことを特徴とするディスク装置。
【請求項２】
移動手段は、ディスクが所定位置に挿入されたことにより装置本体の前面側に移動させるスライド板と、前記スライド板に形成されたディスクガイド移動用カム溝および搬送ローラ移動用カム溝と、ディスクガイドに設けられ前記ディスクガイド移動用カム溝に作用するピンと、搬送ローラ取り付け部材に設けられ前記搬送ローラ移動用カム溝に作用するピンとから構成されていることを特徴とする請求項１記載のディスク装置。
【請求項３】
ディスクガイドは両側に下向きガイド片を備え、装置本体の両側面には前記ガイド片を直立方向にガイドするガイド部を備えたことを特徴とする請求項１記載のディスク装置。
【発明の詳細な説明】
【技術分野】
【０００１】
この発明は、ディスクを搬送ローラによってディスクガイドに押圧させて該搬送ローラの回転で装置本体に対し挿入／排出を行うディスク装置に関するものである。
【背景技術】
【０００２】
従来のディスク装置は、ディスクガイドは装置本体に固定されており、ディスク搬送ローラはディスクをディスクガイドに押圧させて該搬送ローラの回転で装置本体に対し挿入／排出を行なっている。ディスクは装置本体内の所定位置に搬送された後、ディスクガイドから離れてターンテーブル上に載置されるとともに、搬送ローラはディスクから大きく離れる方向に移動して再生状態となる。この結果、ディスクとディスクガイドとの間およびディスクと搬送ローラとの間に振動に対するクリアランスが確保されるが、このクリアランス確保のために装置形状が大型化する。【０００３】
そこで、近年では、例えば特許文献１に示されるように、装置形状の小型化のためにディスク搬送用モータと再生ヘッド送り用モータの兼用化が進み、ディスク搬送機構を再生部に備え付けることにより、ディスクガイドも再生部に固定設置される装置が増えてきている。しかし、このディスク再生装置は、図１２（ａ）に示すように、再生状態では装置本体２１と再生部２２の間に振動対策のためのクリアランス２３を設けることが必要である。このため、ディスク搬送状態では、ディスク挿入位置までディスク搬送ユニットを移動させねばならず、図１２（ｂ）のように再生部全体を持ち上げる、もしくは、図１２（ｃ）のように再生部２２の片側を持ち上げて傾ける必要がある。【０００４】
ディスク待ち受け時には、この状態を維持することにより、再生部２２に設けたピン２４を弾性保持するダンパー２５に応力負荷が永続的にかかり、温度等の影響により、ダンパー２５は変形することになり、振動時の振動吸収性能が変化し、装置の振動性能が劣化することになる。また、ダンパー２５は変形量を小さくするために、再生時のクリアランス２３を小さくすることが考えられるが、その場合は、クリアランス２３が小さくなることで振動吸収のストロークが減り、装置の振動性能は初期的に低くなる。さらには、ディスク再生状態からディスク搬送状態へのモード移行時にダンパー２５を変形させるため、モード移行時の負荷が大きくなり、モータ等の動力系部品に負担がかかる。【０００５】
【特許文献１】特開２００４−２０６８７１号公報
【０００６】
上記のように、従来のディスク搬送用モータと再生ヘッド送り用モータの兼用化したものでは、装置本体に対するディスク挿入位置は変わらず、装置中心より上方に設けられているため、再生部はディスク挿入口側を上方へ傾けた状態で固定し、待機している。もしくは、再生時のクリアランスを減らすことにより、再生部をできるだけ水平固定するといった構成となっている。そのため、再生時に外部振動に対して衝撃吸収をするダンパーを変形させてダンパー特性を失う。もしくは、クリアランス不足による振動性能の悪化を引き起こす。さらには、ダンパーを変形させながらディスクの挿入／排出を行うため過剰な動作負荷が生じる等の課題があった。【０００７】
この発明は、上記課題を解決するためになされたもので、ディスクガイドと装置本体との間の防振用ダンパーの変形を防ぎ、動作負荷を軽減して十分な防振ストロークを得ることができるようにすることを目的とする。
【発明の開示】
【０００８】
この発明に係るディスク装置は、搬送ローラおよびディスクガイドを装置本体に対し上下動可能に設け、挿入されたディスクを直立方向に移動させてターンテーブル上に載置することに連動して、前記搬送ローラおよび前記ディスクガイドを互いに異なる移動量で下方に移動させる移動手段を備えたものである。
【０００９】
この発明によれば、挿入されたディスクを下方に移動させてターンテーブル上に載置することに連動して、搬送ローラおよびディスクガイドを互いに異なる移動量で下方に移動させるように構成したので、前記搬送ローラおよび前記ディスクガイドと装置本体との間に十分な防振ストロークを得ることができる。また、装置本体に対してクリアランスを小さくして再生部を水平に設けることができ、再生部を装置本体に対して保持する衝撃吸収ダンパーに片寄った負荷を与えて変形させることがないという効果がある。
【図面の簡単な説明】
【００１０】
【図１】この発明の実施の形態１によるディスク再生装置の分解斜視図である。
【図２】再生部を示す斜視図である。
【図３】再生部に対するディスクの挿入状態を示す斜視図である。
【図４】図３の側面図である。
【図５】図４においてスライド板を取り外して示す側面図である。
【図６】図４の主要部のみを示す側面図である。
【図７】ディスクの挿入を完了した再生部を示す平面図である。
【図８】図７の側面図である。
【図９】図７においてスライド板を取り外して示す側面図である。
【図１０】図７の主要部のみを示す側面図である。
【図１１】スライド板を図３Ａ−Ａ線に沿って装置内面側から見た正面図である。
【図１２】従来装置のシャーシに対する再生部の位置関係を示す概要図である。
【発明を実施するための最良の形態】
【００１１】
以下、この発明をより詳細に説明するために、この発明を実施するための最良の形態について、添付の図面に従って説明する。
実施の形態１．
図１はこの発明の実施の形態１によるディスク再生装置の分解斜視図、図２は再生部を示す斜視図、図３は再生部に対するディスクの挿入状態を示す斜視図、図４は図３の側面図、図５は図４においてスライド板を取り外して示す側面図、図６は図４の主要部のみを示す側面図、図７はディスクの挿入を完了した再生部を示す平面図、図８は図７の側面図、図９は図７においてスライド板を取り外して示す側面図、図１０は図７の主要部のみを示す側面図、図１１はスライド板を図３Ａ−Ａ線に沿って装置内面側から見た正面図である。【００１２】
図において、ローラ（ディスク搬送ローラ）５は、両端がローラ支持部材２に回動可能に軸支され、常時バネ９（図６参照）によりディスクガイド３の裏面側に圧接するよう付勢されている。ローラ支持部材２は、板状体の裏面側に切り起した左右一対の片２−１，２−１にそれぞれ設けた取り付け孔（図１の一部きり欠いた部分に図示されている）２ａに装置本体としてのシャーシ１に設けられた左右の支持軸１ａ、１ａを差し込むことで、シャーシ１に対して回動自在に取り付けられている。また、ローラ支持部材２は、シャーシ１の両側に設けたスライド板１１の搬送ローラ移動用カム溝１１ａ（図１１参照）に当接するピン２ｂを左右側面に備えている。【００１３】
ディスクガイド３は左右両側に下向きのガイド片３−１、３−１を備え、このガイド片３−１、３−１の内面に設けられたピン３ａ、３ａをシャーシ１の左右側面に設けられた直立方向に延びる溝１ｂに挿入することで上下動可能に取り付けられている。また、ガイド片３−１、３−１の外面にはスライド板１１（図３参照）のディスクガイド移動用カム溝１１ｂ（図１１参照）に当接するピン３ｂ、３ｂ（左側は不図示）が設けられている。シャーシ１の中央部には、ディスク１４をその中心部で固定するターンテーブル６、このターンテーブル６を回転駆動するスピンドルモータ１０およびディスク１４に記録された信号を読み取る光ピックアップ８が設けられている。【００１４】
スライド板１１は図３に示すように、シャーシ１の両側面（図３は１側面のみを示す）に前後動可能に設けられており、その前部内面には図１１に示すように、搬送ローラ移動用カム溝１１ａとディスクガイド移動用カム溝１１ｂが設けられている。また、後部上面にはクランプ部材１２の規制を開放する欠除部１１ｃが設けられており、この欠除部１１ｃがクランプ部材１２との対応位置に来ると、クランプ部材１２は付勢部材１６の付勢力によってターンテーブル６上に回動して、ディスク１４をターンテーブル上に押圧してクランプする。【００１５】
ここで、スライド板１１と、前記スライド板１１に形成されたディスクガイド移動用カム溝１１ｂおよび搬送ローラ移動用カム溝１１ａと、ディスクガイド３に設けられ前記ディスクガイド移動用カム溝１１ｂに作用するピン３ｂ、３ｂと、搬送ローラ取り付け部材２に設けられ前記搬送ローラ移動用カム溝１１ａに作用するピン２ｂとで、搬送ローラ５および前記ディスクガイド３を互いに異なる移動量で下方に移動させる移動手段を構成している。【００１６】
次に、動作について説明する。
ディスク１４が挿入されるのを待機している時および挿入搬送中においては、ローラ支持部材２は、図３〜図６に示すように、支持軸１ａ（図１参照）を支点として矢印Ｂ方向へ回動付勢され、搬送ローラ５はディスクガイド３の裏面側に付勢されている。また、ディスクガイド３は搬送ローラ５に押し上げられて、溝１ｂ（図１参照）に沿って上方向（矢印Ｃ方向）に移動して位置している。この状態でディスク１４が挿入されると、この挿入を検知した不図示の検知部材で不図示のモータ回路のスイッチを閉じ、このモータの駆動力で搬送ローラ５を回転させ、ディスク１４を搬送ローラ５とディスクガイド３の間に挟み込んで該ローラで装置内へ搬送する。【００１７】
図７に示すようにディスク１４の中心部がターンテーブル６上に来ると、その挿入されたディスクで押し動かされたレバー１７（図２，３参照）の動きに連動して、スライド板１１が装置本体の前面側にスライド移動する。このスライド板１１の移動に伴い、このスライド板１１の上面で下向き回動を規制されていたクランプ部材１８は、スライド板１１の上面の欠除部１１ｃに対応することにより規制が解除され、付勢部材１６の付勢力で下向きに回動して、図８〜図１０に示すようにディスク１４をターンテーブル６上に押圧保持する。【００１８】
このとき、スライド板１１の移動に伴い、ローラ支持部材２は搬送ローラ移動用カム溝１１ａによって回動力を受けて引き下げられるとともに、ディスクガイド３はディスクガイド移動用カム溝１１ｂによって回動力を受けて、ローラ支持部材２とは異なる移動量で引き下げられるとともに、ピン３ａと溝１ｂとの隙間分だけ水平方向に移動する。【００１９】
この場合、搬送ローラ移動用カム溝１１ａとディスクガイド移動用カム溝１１ｂとの形状差によって、搬送ローラ５および前記ディスクガイド３は互いに異なる移動量で下方に移動する。この結果、シャーシ１とディスクガイド３、ディスクガイド３とディスク１４、ディスク１４と搬送ローラ５のそれぞれの間にクリアランスが形成され、シャーシ１とディスクガイド３との間では防振が確保される。また、ディスクガイド３とディスク１４、ディスク１４と搬送ローラ５との間では、再生時にディスク１４がディスクガイド３、搬送ローラ５と接触することが防止される。【００２０】
以上のように、この実施の形態によれば、ディスクガイド３を上下方向及び水平方向に移動可能に構成したので、再生部、つまり、シャーシ１を装置本体内で水平に保ったままディスク挿入／排出を行うことができるとともに、再生状態では、シャーシ１と下方に移動したディスクガイド３との間に形成されたクリアランスによって、十分な防振が確保されるという効果がある。
また、ディスクガイドおよび搬送ローラ取り付け部材に設けられたピンを、スライダ板に形成されたカム溝に作用させた構成であるので、搬送ローラおよび前記ディスクガイドを互いに異なる移動量で下方に移動させる移動手段を簡単な構成で精度良く得ることができる。さらに、ディスクガイドはその両側に備えた下向きガイド片を装置本体の両側面のガイド部に作用させるように構成したので、上下動が安定して行われる。
【産業上の利用可能性】
【００２１】
以上のように、この発明に係るディスク装置は、挿入されたディスクをターンテーブル上に載置することに連動して、搬送ローラおよびディスクガイドを互いに異なる移動量で下方に移動させ、装置本体との間に十分な防振ストロークを得ることができ、再生部を装置本体に対して保持する衝撃吸収ダンパーに片寄った負荷を与えて変形させることがないように構成したので、振動等が発生しやすい環境に置かれる小型の車載用ディスク再生装置などに用いるのに適している。
【図１】
2009040970.tif 000003
【図２】
2009040970.tif 000004
【図３】
2009040970.tif 000005
【図４】
2009040970.tif 000006
【図５】
2009040970.tif 000007
【図６】
2009040970.tif 000008
【図７】
2009040970.tif 000009
【図８】
2009040970.tif 000010
【図９】
2009040970.tif 000011
【図１０】
2009040970.tif 000012
【図１１】
2009040970.tif 000013
【図１２】
2009040970.tif 000014
【手続補正書】
【提出日】平成21年8月17日(2009.8.17)
【手続補正１】
【補正対象書類名】明細書
【補正対象項目名】全文
【補正方法】変更
【補正の内容】
【発明の詳細な説明】
【技術分野】
【０００１】
この発明は、ディスクを搬送ローラによってディスクガイドに押圧させて該搬送ローラの回転で装置本体に対し挿入／排出を行うディスク装置に関するものである。
【背景技術】
【０００２】
従来のディスク装置は、ディスクガイドは装置本体に固定されており、ディスク搬送ローラはディスクをディスクガイドに押圧させて該搬送ローラの回転で装置本体に対し挿入／排出を行なっている。ディスクは装置本体内の所定位置に搬送された後、ディスクガイドから離れてターンテーブル上に載置されるとともに、搬送ローラはディスクから大きく離れる方向に移動して再生状態となる。この結果、ディスクとディスクガイドとの間およびディスクと搬送ローラとの間に振動に対するクリアランスが確保されるが、このクリアランス確保のために装置形状が大型化する。
【０００３】
そこで、近年では、例えば特許文献１に示されるように、装置形状の小型化のためにディスク搬送用モータと再生ヘッド送り用モータの兼用化が進み、ディスク搬送機構を再生部に備え付けることにより、ディスクガイドも再生部に固定設置される装置が増えてきている。しかし、このディスク再生装置は、図１２（ａ）に示すように、再生状態では装置本体２１と再生部２２の間に振動対策のためのクリアランス２３を設けることが必要である。このため、ディスク搬送状態では、ディスク挿入位置までディスク搬送ユニットを移動させねばならず、図１２（ｂ）のように再生部全体を持ち上げる、もしくは、図１２（ｃ）のように再生部２２の片側を持ち上げて傾ける必要がある。
【０００４】
ディスク待ち受け時には、この状態を維持することにより、再生部２２に設けたピン２４を弾性保持するダンパー２５に応力負荷が永続的にかかり、温度等の影響により、ダンパー２５は変形することになり、振動時の振動吸収性能が変化し、装置の振動性能が劣化することになる。また、ダンパー２５は変形量を小さくするために、再生時のクリアランス２３を小さくすることが考えられるが、その場合は、クリアランス２３が小さくなることで振動吸収のストロークが減り、装置の振動性能は初期的に低くなる。さらには、ディスク再生状態からディスク搬送状態へのモード移行時にダンパー２５を変形させるため、モード移行時の負荷が大きくなり、モータ等の動力系部品に負担がかかる。
【先行技術文献】
【特許文献】
【０００５】
【特許文献１】特開２００４−２０６８７１号公報
【発明の概要】
【発明が解決しようとする課題】
【０００６】
上記のように、従来のディスク搬送用モータと再生ヘッド送り用モータの兼用化したものでは、装置本体に対するディスク挿入位置は変わらず、装置中心より上方に設けられているため、再生部はディスク挿入口側を上方へ傾けた状態で固定し、待機している。もしくは、再生時のクリアランスを減らすことにより、再生部をできるだけ水平固定するといった構成となっている。そのため、再生時に外部振動に対して衝撃吸収をするダンパーを変形させてダンパー特性を失う。もしくは、クリアランス不足による振動性能の悪化を引き起こす。さらには、ダンパーを変形させながらディスクの挿入／排出を行うため過剰な動作負荷が生じる等の課題があった。
【０００７】
この発明は、上記課題を解決するためになされたもので、ディスクガイドと装置本体との間の防振用ダンパーの変形を防ぎ、動作負荷を軽減して十分な防振ストロークを得ることができるようにすることを目的とする。
【課題を解決するための手段】
【０００８】
この発明に係るディスク装置は、搬送ローラおよびディスクガイドを装置本体に対し上下動可能に設け、挿入されたディスクを直立方向に移動させてターンテーブル上に載置することに連動して、前記搬送ローラおよび前記ディスクガイドを互いに異なる移動量で下方に移動させる移動手段を備え、ディスクの挿入待機時またはディスクの挿入搬送中は前記搬送ローラ及び前記ディスクガイドを上方向へ移動させるものである。
【発明の効果】
【０００９】
この発明によれば、挿入されたディスクを下方に移動させてターンテーブル上に載置することに連動して、搬送ローラおよびディスクガイドを互いに異なる移動量で下方に移動させ、ディスクの挿入待機時またはディスクの挿入搬送中は前記搬送ローラ及び前記ディスクガイドを上方向へ移動させるように構成したので、前記搬送ローラおよび前記ディスクガイドと装置本体との間に十分な防振ストロークを得ることができる。また、装置本体に対してクリアランスを小さくして再生部を水平に設けることができ、再生部を装置本体に対して保持する衝撃吸収ダンパーに片寄った負荷を与えて変形させることがないという効果がある。
【図面の簡単な説明】
【００１０】
【図１】この発明の実施の形態１によるディスク再生装置の分解斜視図である。
【図２】再生部を示す斜視図である。
【図３】再生部に対するディスクの挿入状態を示す斜視図である。
【図４】図３の側面図である。
【図５】図４においてスライド板を取り外して示す側面図である。
【図６】図４の主要部のみを示す側面図である。
【図７】ディスクの挿入を完了した再生部を示す平面図である。
【図８】図７の側面図である。
【図９】図７においてスライド板を取り外して示す側面図である。
【図１０】図７の主要部のみを示す側面図である。
【図１１】スライド板を図３Ａ−Ａ線に沿って装置内面側から見た正面図である。
【図１２】従来装置のシャーシに対する再生部の位置関係を示す概要図である。
【発明を実施するための形態】
【００１１】
以下、この発明をより詳細に説明するために、この発明を実施するための最良の形態について、添付の図面に従って説明する。
実施の形態１．
図１はこの発明の実施の形態１によるディスク再生装置の分解斜視図、図２は再生部を示す斜視図、図３は再生部に対するディスクの挿入状態を示す斜視図、図４は図３の側面図、図５は図４においてスライド板を取り外して示す側面図、図６は図４の主要部のみを示す側面図、図７はディスクの挿入を完了した再生部を示す平面図、図８は図７の側面図、図９は図７においてスライド板を取り外して示す側面図、図１０は図７の主要部のみを示す側面図、図１１はスライド板を図３Ａ−Ａ線に沿って装置内面側から見た正面図である。
【００１２】
図において、ローラ（ディスク搬送ローラ）５は、両端がローラ支持部材２に回動可能に軸支され、常時バネ９（図６参照）によりディスクガイド３の裏面側に圧接するよう付勢されている。ローラ支持部材２は、板状体の裏面側に切り起した左右一対の片２−１，２−１にそれぞれ設けた取り付け孔（図１の一部きり欠いた部分に図示されている）２ａに装置本体としてのシャーシ１に設けられた左右の支持軸１ａ、１ａを差し込むことで、シャーシ１に対して回動自在に取り付けられている。また、ローラ支持部材２は、シャーシ１の両側に設けたスライド板１１の搬送ローラ移動用カム溝１１ａ（図１１参照）に当接するピン２ｂを左右側面に備えている。
【００１３】
ディスクガイド３は左右両側に下向きのガイド片３−１、３−１を備え、このガイド片３−１、３−１の内面に設けられたピン３ａ、３ａをシャーシ１の左右側面に設けられた直立方向に延びる溝１ｂに挿入することで上下動可能に取り付けられている。また、ガイド片３−１、３−１の外面にはスライド板１１（図３参照）のディスクガイド移動用カム溝１１ｂ（図１１参照）に当接するピン３ｂ、３ｂ（左側は不図示）が設けられている。シャーシ１の中央部には、ディスク１４をその中心部で固定するターンテーブル６、このターンテーブル６を回転駆動するスピンドルモータ１０およびディスク１４に記録された信号を読み取る光ピックアップ８が設けられている。
【００１４】
スライド板１１は図３に示すように、シャーシ１の両側面（図３は１側面のみを示す）に前後動可能に設けられており、その前部内面には図１１に示すように、搬送ローラ移動用カム溝１１ａとディスクガイド移動用カム溝１１ｂが設けられている。また、後部上面にはクランプ部材１２の規制を開放する欠除部１１ｃが設けられており、この欠除部１１ｃがクランプ部材１２との対応位置に来ると、クランプ部材１２は付勢部材１６の付勢力によってターンテーブル６上に回動して、ディスク１４をターンテーブル上に押圧してクランプする。
【００１５】
ここで、スライド板１１と、前記スライド板１１に形成されたディスクガイド移動用カム溝１１ｂおよび搬送ローラ移動用カム溝１１ａと、ディスクガイド３に設けられ前記ディスクガイド移動用カム溝１１ｂに作用するピン３ｂ、３ｂと、搬送ローラ取り付け部材２に設けられ前記搬送ローラ移動用カム溝１１ａに作用するピン２ｂとで、搬送ローラ５および前記ディスクガイド３を互いに異なる移動量で下方に移動させる移動手段を構成している。
【００１６】
次に、動作について説明する。
ディスク１４が挿入されるのを待機している時および挿入搬送中においては、ローラ支持部材２は、図３〜図６に示すように、支持軸１ａ（図１参照）を支点として矢印Ｂ方向へ回動付勢され、搬送ローラ５はディスクガイド３の裏面側に付勢されている。また、ディスクガイド３は搬送ローラ５に押し上げられて、溝１ｂ（図１参照）に沿って上方向（矢印Ｃ方向）に移動して位置している。この状態でディスク１４が挿入されると、この挿入を検知した不図示の検知部材で不図示のモータ回路のスイッチを閉じ、このモータの駆動力で搬送ローラ５を回転させ、ディスク１４を搬送ローラ５とディスクガイド３の間に挟み込んで該ローラで装置内へ搬送する。
【００１７】
図７に示すようにディスク１４の中心部がターンテーブル６上に来ると、その挿入されたディスクで押し動かされたレバー１７（図２，３参照）の動きに連動して、スライド板１１が装置本体の前面側にスライド移動する。このスライド板１１の移動に伴い、このスライド板１１の上面で下向き回動を規制されていたクランプ部材１８は、スライド板１１の上面の欠除部１１ｃに対応することにより規制が解除され、付勢部材１６の付勢力で下向きに回動して、図８〜図１０に示すようにディスク１４をターンテーブル６上に押圧保持する。
【００１８】
このとき、スライド板１１の移動に伴い、ローラ支持部材２は搬送ローラ移動用カム溝１１ａによって回動力を受けて引き下げられるとともに、ディスクガイド３はディスクガイド移動用カム溝１１ｂによって回動力を受けて、ローラ支持部材２とは異なる移動量で引き下げられるとともに、ピン３ａと溝１ｂとの隙間分だけ水平方向に移動する。
【００１９】
この場合、搬送ローラ移動用カム溝１１ａとディスクガイド移動用カム溝１１ｂとの形状差によって、搬送ローラ５および前記ディスクガイド３は互いに異なる移動量で下方に移動する。この結果、シャーシ１とディスクガイド３、ディスクガイド３とディスク１４、ディスク１４と搬送ローラ５のそれぞれの間にクリアランスが形成され、シャーシ１とディスクガイド３との間では防振が確保される。また、ディスクガイド３とディスク１４、ディスク１４と搬送ローラ５との間では、再生時にディスク１４がディスクガイド３、搬送ローラ５と接触することが防止される。
【００２０】
以上のように、この実施の形態によれば、ディスクガイド３を上下方向及び水平方向に移動可能に構成したので、再生部、つまり、シャーシ１を装置本体内で水平に保ったままディスク挿入／排出を行うことができるとともに、再生状態では、シャーシ１と下方に移動したディスクガイド３との間に形成されたクリアランスによって、十分な防振が確保されるという効果がある。
また、ディスクガイドおよび搬送ローラ取り付け部材に設けられたピンを、スライダ板に形成されたカム溝に作用させた構成であるので、搬送ローラおよび前記ディスクガイドを互いに異なる移動量で下方に移動させる移動手段を簡単な構成で精度良く得ることができる。さらに、ディスクガイドはその両側に備えた下向きガイド片を装置本体の両側面のガイド部に作用させるように構成したので、上下動が安定して行われる。
【００２１】
以上のように、この発明に係るディスク装置は、挿入されたディスクをターンテーブル上に載置することに連動して、搬送ローラおよびディスクガイドを互いに異なる移動量で下方に移動させ、装置本体との間に十分な防振ストロークを得ることができ、再生部を装置本体に対して保持する衝撃吸収ダンパーに片寄った負荷を与えて変形させることがないように構成したので、振動等が発生しやすい環境に置かれる小型の車載用ディスク再生装置などに用いるのに適している。
【手続補正２】
【補正対象書類名】特許請求の範囲
【補正対象項目名】全文
【補正方法】変更
【補正の内容】
【特許請求の範囲】
【請求項１】
ディスクを搬送ローラによってディスクガイドに押圧させて該搬送ローラの回転で装置本体に対し挿入／排出を行うディスク装置において、前記搬送ローラおよび前記ディスクガイドを前記装置本体に対し上下動可能に設け、挿入されたディスクを下方に移動させてターンテーブル上に載置することに連動して、前記搬送ローラおよび前記ディスクガイドを互いに異なる移動量で下方に移動させる移動手段を備え、ディスクの挿入待機時またはディスクの挿入搬送中は前記搬送ローラ及び前記ディスクガイドを上方向へ移動させることを特徴とするディスク装置。
【請求項２】
移動手段は、ディスクが所定位置に挿入されたことにより装置本体の前面側に移動させるスライド板と、前記スライド板に形成されたディスクガイド移動用カム溝および搬送ローラ移動用カム溝と、ディスクガイドに設けられ前記ディスクガイド移動用カム溝に作用するピンと、搬送ローラ取り付け部材に設けられ前記搬送ローラ移動用カム溝に作用するピンとから構成されていることを特徴とする請求項１記載のディスク装置。
【請求項３】
ディスクガイドは両側に下向きガイド片を備え、装置本体の両側面には前記ガイド片を直立方向にガイドするガイド部を備えたことを特徴とする請求項１記載のディスク装置。
【国際調査報告】
2009040970.tif 000015
2009040970.tif 000016